(57)【特許請求の範囲】
【請求項１】
データを表示する矩形の表示面を有する表示部と、前記表示面と略同形状の入力面を有し前記表示部の前面にペン等で入力を行うためのタッチパネルとを備え、前記タッチパネルの入力面の周囲４辺の内の１辺の裏側を両面接着テープにより前記表示部に接着し、かつ、前記両面接着テープにより接着した１辺に対向する前記タッチパネルの他の１辺の一部を前記両面接着テープよりも接着力の弱い粘着テープにより前記表示部に貼着したことを特徴とする入力機能一体型表示装置。
【請求項２】
前記タッチパネルの他の２辺の一部を前記両面接着テープよりも接着力の弱い粘着テープにより前記表示部に貼着したことを特徴とする請求項１に記載の入力機能一体型表示装置。
【請求項３】
前記表示部に対して前記粘着テープにより貼着されたタッチパネルの貼着辺の裏側に剥離紙付きの両面接着テープを接着したことを特徴とする請求項１乃至請求項２に記載の入力機能一体型表示装置。
【発明の詳細な説明】
【０００１】
【発明の属する技術分野】
本発明は、表示部の前面にタッチパネルを配置することにより表示機能に加え入力機能も有するようにした入力機能一体型表示装置に関するものである。
【０００２】
【従来の技術】
従来、パーソナルコンピュータなどに使用される表示装置には、タッチパネルが前面に設けられ、表示と重ね合わせてペンなどにより入力を行うことのできる入力機能一体型のものがあった。
【０００３】
以下、従来の入力機能一体型表示装置について図を用いて説明する。
【０００４】
図３は入力機能一体型表示装置を示すもので、図３（ａ）は平面図、図３（ｂ）は断面図である。図において、１１は矩形の表示面を有する表示部で、液晶表示パネル１１ａが、金属製の保持枠１１ｂに保持され一体になっている。また、１２は表示部１１の表示面と略同形状を有するタッチパネルで、入力面１２ａの周囲４辺の裏側に貼り付けられた両面テープ１３により液晶表示パネル１１ａの保持枠１１ｂに接着されている。
【０００５】
以上のように構成された入力機能一体型表示装置において、タッチパネル１２から入力を行うには、ペン（図示せず）をタッチパネル１２の入力面１２ａに当て、表示部１１の表示位置に合わせて押圧することによって行う。
【０００６】
【発明が解決しようとする課題】
上記従来の入力機能一体型表示装置では、液晶表示パネル１１ａが故障した場合、タッチパネル１２が故障していなくても両方同時に交換する必要があった。この理由は、両面接着テープ１３の接着力が強く、タッチパネル１２が周囲４辺で保持枠１１ｂに接着されているため、故障していないタッチパネル１２を引き剥がそうとすれば、タッチパネル１２が損傷を免れなかったためである。この接着を両面接着テープよりも接着力の弱い粘着テープなどで行った場合、タッチパネル１２の入力面１２ａをペンで押圧する力によってタッチパネル１２が移動し、表示部１１とズレを生じてしまう。このため、タッチパネルを引き剥がして再使用することはほとんど不可能であった。このことは、製品のコストアップのみならず、近年の環境保護の観点から問題であった。
【０００７】
本発明は、タッチパネルを有する入力機能一体型表示装置において、液晶表示パネルが故障した場合にタッチパネルを再使用することのできる入力機能一体型表示装置を提供することを目的とする。
【０００８】
【課題を解決するための手段】
この課題を解決するために本発明は、タッチパネルを表示部に一辺のみ両面接着テープにより接着するとともに、少なくとも他の１辺の一部を前記両面接着テープよりも接着力の弱い粘着テープにより表示部に貼着したものである。更には、タッチパネルの再使用を容易にするために、前記表示部に対して前記粘着テープにより貼着されたタッチパネルの貼着辺の裏側に剥離紙付きの両面接着テープを接着したものである。  
【０００９】
これにより、液晶表示パネルが故障した場合に、故障していないタッチパネルを容易に取り外すことができ、再使用することができる。
【００１０】
【発明の実施の形態】
本発明は、データを表示する矩形の表示面を有する表示部と、前記表示面と略同形状の入力面を有し前記表示部の前面にペン等で入力を行うためのタッチパネルとを備え、前記タッチパネルの入力面の周囲４辺の内の１辺の裏側を両面接着テープにより前記表示部に接着し、かつ、前記両面接着テープにより接着した１辺に対向する前記タッチパネルの他の１辺の一部を前記両面接着テープよりも接着力の弱い粘着テープにより前記表示部に貼着したことを特徴とする入力機能一体型表示装置であり、表示部の液晶表示パネルが故障して取り替える場合、まず、粘着テープを剥がす。粘着テープ自身は接着力がそれほど強くないため容易に行える。そして、剥がされた側の１辺でタッチパネルを引き離すと、両面接着テープはてこの原理が働き簡単に剥がすことができる。
【００１１】
また、本発明は、前記タッチパネルの他の２辺の一部も前記両面接着テープよりも接着力の弱い粘着テープにより前記表示部に貼着したことを特徴とする入力機能一体型表示装置である。
【００１２】
さらに、本発明は、前記表示部に対して前記粘着テープにより貼着されたタッチパネルの貼着辺の裏側に剥離紙付きの両面接着テープを接着したことを特徴とする入力機能一体型表示装置であり、タッチパネルを取り外して再使用する際に、新たに両面接着テープを貼り付ける必要がなく、しかも予め貼り付けられるため、後から貼り付ける場合に比べ、正確な貼り付け位置が実現できる。そして、タッチパネルの周囲の辺全てに両面接着テープを貼り付けることにより、埃などの侵入が防止できるだけでなく、タッチパネルを表示部に安定に支持することができる。
【００１５】
以下、本発明の実施の形態について図を用いて説明する。
【００１６】
（実施の形態１）
図１は本発明の第１の実施の形態の入力機能一体型表示装置を示すもので、図１（ａ）は平面図、図１（ｂ）は断面図である。図において、１は矩形の表示面を有する表示部で、液晶表示パネル１ａが、金属製の保持枠１ｂに保持され一体になっている。また、２は表示部１の表示面と略同形状を有するタッチパネルで、入力面２ａの周囲４辺のうち１辺の裏側に貼り付けられた両面接着テープ３により液晶表示パネル１ａの保持枠１ｂに接着されている。また、対向する１辺の裏側には両面接着テープ３が剥離紙３ａ付きで貼り付けられるとともに、液晶表示パネル１ａの保持枠１ｂとタッチパネル２を一体的に合わせて粘着テープ４が貼り付けられている。
【００１７】
以上のように構成された入力機能一体型表示装置において、タッチパネル２から入力を行うには、ペン（図示せず）をタッチパネル２の入力面２ａに当て、表示部１の表示位置に合わせて押圧することによって行う。両面接着テープ３には接着強度があり、タッチパネル２の入力面２ａをペンで押圧する力によってタッチパネル２が移動して表示部１とズレを生じるというようなことはない。
【００１８】
次に、液晶表示パネル１ａが故障して取り替える場合、まず、粘着テープ４を剥がす。粘着テープ４自身は接着力がそれほど強くないため容易に行える。そして、剥がされた側の１辺で保持枠１ｂとタッチパネル２を手で引き離すと、両面接着テープ３はてこの原理が働き簡単に剥がすことができる。そして、液晶表示パネル１ａを交換し、再度組み立てを行う。このとき、既に剥がされた両面接着テープ３は接着力が落ちているため、タッチパネル２に残されている別の両面接着テープ３の剥離紙３ａを剥がし、保持枠１ｂと接着する。そして、対向する１辺（交換前に両面接着テープにより接着されていた側）で、液晶表示パネル１ａの保持枠１ｂとタッチパネル２を一体的に合わせて新しい粘着テープ４で再度貼り付ける。
【００１９】
このように、液晶表示パネル１ａが故障した場合、タッチパネル２の再使用が可能になり、しかも交換作業が容易に行える。
【００２０】
なお、本実施の形態では、粘着テープ４を両面接着テープ３に対向する１辺１ヵ所のみに貼り付けたが、これを他の辺、複数箇所としてもよい。
【００２１】
また、剥離紙のついた両面接着テープ３を他の辺全てに貼り付ければ、埃などの侵入が防止できるだけでなく、タッチパネル２を安定して支持することができる。
【００２２】
（実施の形態２）
図２は本発明の第２の実施の形態の入力機能一体型表示装置を示すもので、図２（ａ）は平面図、図２（ｂ）は断面図である。図において、第１の実施の形態と同じものは、同一の番号を付し説明を省略する。第１の実施の形態と異なるところは、粘着テープの替わりに挟持体５としたところである。挟持体５はコの字型の断面形状を有する樹脂成形品で、コの字型は両腕の根元で広く、徐々に狭くなり、先端付近ではまた広くなる形状となっている。両腕の幅の最も狭い部分は自然状態で表示パネル１ａの保持枠１ｂとタッチパネル２を合わせた幅よりも少し狭くなっており、保持枠１ｂとタッチパネル２を一体的に合わせて挟むように同時に嵌め込んだとき、コの字形状が広がり樹脂の弾性力が発生して保持枠１ｂとタッチパネル２を合わせて保持できるようになっている。
【００２３】
以上のように構成された入力機能一体型表示装置において、液晶表示パネル１ａが故障して取り替える場合の手順は、第１の実施の形態における粘着テープ４を剥がすという動作の替わりに挟持体５を取り外して行う。そして、液晶表示パネル１ａを交換し再組み立てを行う際に、粘着テープ４を貼り付けるという動作の替わりに挟持体５を取り付ける。その他の手順は第１の実施の形態と同じである。
【００２４】
このように、液晶表示パネル１ａが故障した場合、タッチパネル２の再使用が可能になり、しかも交換作業が容易に行えるという、第１の実施の形態の効果に加え、液晶表示パネル１ａからタッチパネル２を取り外す際に、粘着テープ等のように接着糊が残って汚れるということがなく、また、挟持体５が再使用でき、粘着テープなどを廃棄する必要がないという効果も得ることができる。
【００２５】
【発明の効果】
以上のように本発明によれば、タッチパネルを表示部の周囲４辺の内の１辺の裏側に両面接着テープにより接着するとともに、前記両面接着テープにより接着した１辺に対向する前記タッチパネルの他の１辺の一部をその両面接着テープよりも接着力の弱い粘着テープにより表示部に貼着することにより、両面接着テープは接着強度が大きく、タッチパネルへの入力ペンによる押圧力によってタッチパネルが移動して表示部に対してズレを生じるようなことがなく、そして表示部の液晶表示パネルが故障して取り替える場合、まず、粘着テープを剥がす。粘着テープ自身は接着力がそれほど強くないため容易に行え、そして、剥がされた側の１辺でタッチパネルを引き離すと、両面接着テープはてこの原理が働き簡単に剥がすことができ、故障していないタッチパネルを容易に取り外して再使用することができる。
また、予め剥離紙付きの両面接着テープを接着しておくことにより、これを再利用することができるため、新たに両面接着テープを貼り付ける必要がなく、しかも予め貼り付けられるため、後から貼り付ける場合に比べ、正確な貼り付け位置が実現できる。そして、タッチパネルの周囲の辺全てに両面接着テープを貼り付けることにより、埃などの侵入を防止できるだけでなく、タッチパネルを表示部に安定に支持することができる。
【図面の簡単な説明】
【図１】本発明の第１の実施の形態における入力機能一体型表示装置の平面図、および断面図
【図２】本発明の第２の実施の形態における入力機能一体型表示装置の平面図、および断面図
【図３】従来の入力機能一体型表示装置を示す平面図、および断面図
【符号の説明】
１  表示部
１ａ  液晶表示パネル
１ｂ  保持枠
２  タッチパネル
３ａ  剥離紙
３  両面接着テープ
４  粘着テープ
５  挟持体
【図１】
0004144103.tif 000002
【図２】
0004144103.tif 000003
【図３】
0004144103.tif 000004